(57)【要約】【課題】  津波で押し流された際、その過大な力に十分耐え得るとともに、製造コストを低下させつつ全体の重量を軽減させ得る防水救命容器を提供する。【解決手段】  人を収容し得る内部空間を有し、当該人が出入り可能な開口１ａを上部に有した樹脂成形部材から成る主容器１と、開口１ａを塞ぎ、主容器１の内部空間を略密閉空間とし得る蓋部材３と、金属製長尺部材２ｂを籠状に組み付けて成り、主容器１の外面を覆って補強する補強フレーム２とを具備したものである。【選択図】図１
2006256563.tif 000002
【特許請求の範囲】
【請求項１】
人を収容し得る内部空間を有し、当該人が出入り可能な開口を上部に有した樹脂成形部材から成る主容器と、
前記開口を塞ぎ、前記主容器の内部空間を略密閉空間とし得る蓋部材と、
金属製長尺部材を籠状に組み付けて成り、前記主容器の外面を覆って補強する補強フレームと、
を具備したことを特徴とする防水救命容器。
【請求項２】
前記主容器の外面には、前記補強フレームの金属製長尺部材を嵌入し得る溝が成形されたことを特徴とする請求項１記載の防水救命容器。
【請求項３】
前記主容器は、外気に開口しつつ水止弁を有した通気手段を具備したことを特徴とする請求項１又は請求項２記載の防水救命容器。
【請求項４】
前記主容器内の人による力にて当該主容器内外の通気を行わせる通気用人力ポンプが形成されたことを特徴とする請求項１〜請求項３の何れか１つに記載の防水救命容器。
【請求項５】
前記主容器内の底面側には、着座した人を拘束し得る拘束手段が設けられたことを特徴とする請求項１〜請求項４の何れか１つに記載の防水救命容器。
【請求項６】
前記主容器には、内部の人が外観を視認し得る窓が形成されたことを特徴とする請求項１〜請求項５の何れか１つに記載の防水救命容器。
【請求項７】
前記主容器には、逆止弁を有しつつ内部に侵入した水を外部へ排出し得る排水口が設けられているとともに、当該主容器内の人による力にて前記排水口からの強制的な排水を行わせる排水用人力ポンプが形成されたことを特徴とする請求項１〜請求項６の何れか１つに記載の防水救命容器。
【請求項８】
前記主容器は、当該主容器が浮遊した際に所定位置に固定するためのアンカーとロープを介して繋がれるとともに、該ロープの途中には所定以上の力が付与されると当該ロープを切断する切断手段が形成されたことを特徴とする請求項１〜請求項７の何れか１つに記載の防水救命容器。
【発明の詳細な説明】
【技術分野】
【０００１】
本発明は、津波などの来襲時に人が避難して危険を回避し得る防水救命容器に関するものである。
【背景技術】
【０００２】
主な自然災害の一つに地震発生に伴う津波の来襲があり、近時においては、津波から身を守るための種々提案がなされている。例えば特許文献１にて開示されているように、内部に人を収容し得る密閉空間を有した防水救命容器（浮上カプセル）を設置することにより、津波の来襲時、当該シェルター内に人が入って危険を回避するものが提案されている。かかる防水救命容器によれば、津波で到来した海水に浮遊して内部の密閉空間に避難した人が生存し得るようになっている。
【特許文献１】特開２００４−３０５７３７号公報
【発明の開示】
【発明が解決しようとする課題】
【０００３】
しかしながら、上記従来の防水救命容器においては、以下の点で問題があった。即ち、津波来襲時には、到来した津波により、極めて大きな力が付与されることが予想され、防水救命容器には、かかる過大な力に耐え得る極めて高い強度が要求される。しかしながら従来の防水救命容器には、このような高い強度を得るための構成がなされておらず、津波で押し流された際、その過大な力により破壊されてしまう虞があった。
【０００４】
然るに、防水救命容器に高い強度を持たせるべく、鉄製部材など強度が高い材料にて構成することが考えられるが、その場合、密閉空間を形成し難く、製造コストが嵩んでしまうという不具合がある。また、防水救命容器全体の重量が大きくなってしまい、設置場所への搬送が困難となるとともに、津波到来時の海水に良好に浮遊しない虞もあった。
【０００５】
本発明は、このような事情に鑑みてなされたもので、津波で押し流された際、その過大な力に十分耐え得るとともに、製造コストを低下させつつ全体の重量を軽減させ得る防水救命容器を提供することにある。
【課題を解決するための手段】
【０００６】
請求項１記載の発明は、人を収容し得る内部空間を有し、当該人が出入り可能な開口を上部に有した樹脂成形部材から成る主容器と、前記開口を塞ぎ、前記主容器の内部空間を略密閉空間とし得る蓋部材と、金属製長尺部材を籠状に組み付けて成り、前記主容器の外面を覆って補強する補強フレームとを具備したことを特徴とする。
【０００７】
請求項２記載の発明は、請求項１記載の防水救命容器において、前記主容器の外面には、前記補強フレームの金属製長尺部材を嵌入し得る溝が成形されたことを特徴とする。
【０００８】
請求項３記載の発明は、請求項１又は請求項２記載の防水救命容器において、前記主容器は、外気に開口しつつ水止弁を有した通気手段を具備したことを特徴とする。
【０００９】
請求項４記載の発明は、請求項１〜請求項３の何れか１つに記載の防水救命容器において、前記主容器内の人による力にて当該主容器内外の通気を行わせる通気用人力ポンプが形成されたことを特徴とする。
【００１０】
請求項５記載の発明は、請求項１〜請求項４の何れか１つに記載の防水救命容器において、前記主容器内の底面側には、着座した人を拘束し得る拘束手段が設けられたことを特徴とする。
【００１１】
請求項６記載の発明は、請求項１〜請求項５の何れか１つに記載の防水救命容器において、前記主容器には、内部の人が外観を視認し得る窓が形成されたことを特徴とする。
【００１２】
請求項７記載の発明は、請求項１〜請求項６の何れか１つに記載の防水救命容器において、前記主容器には、逆止弁を有しつつ内部に侵入した水を外部へ排出し得る排水口が設けられているとともに、当該主容器内の人による力にて前記排水口からの強制的な排水を行わせる排水用人力ポンプが形成されたことを特徴とする。
【００１３】
請求項８記載の発明は、請求項１〜請求項７の何れか１つに記載の防水救命容器において、前記主容器は、当該主容器が浮遊した際に所定位置に固定するためのアンカーとロープを介して繋がれるとともに、該ロープの途中には所定以上の力が付与されると当該ロープを切断する切断手段が形成されたことを特徴とする。
【発明の効果】
【００１４】
請求項１の発明によれば、主容器が樹脂成形部材から成るとともに、該主容器の外面を金属製長尺部材から成る補強フレームが籠状に覆って補強しているため、津波で押し流された際、その過大な力に十分耐え得るとともに、製造コストを低下させつつ全体の重量を軽減させ得る。
【００１５】
請求項２の発明によれば、主容器の外面には、補強フレームの金属製長尺部材を嵌入し得る溝が成形されたので、防水救命容器に過大な力が付与された際、補強フレームが主容器外面からずれてしまうのを防止することができ、確実に主容器の補強を行わせることができる。
【００１６】
請求項３の発明によれば、主容器が、外気に開口しつつ水止弁を有した通気手段を具備したので、略密閉された内部空間に避難した人の呼吸を確保でき、長時間の避難を可能とすることができるとともに、水止弁により内部空間に水が侵入するのを回避することができる。
【００１７】
請求項４の発明によれば、主容器内の人による力にて当該主容器内外の通気を行わせる通気用人力ポンプが形成されたので、略密閉された内部空間に避難した人の呼吸をより十分に確保でき、更に長時間の避難を可能とすることができる。
【００１８】
請求項５の発明によれば、主容器内の底面側には、着座した人を拘束し得る拘束手段が設けられたので、津波到来時に防水救命容器が津波の力で激しく押し流されたとしても、内部空間に避難した人を安全に保護することができるとともに、海水への浮遊時、底面側へ拘束された人の重量により防水救命容器における天地の姿勢を良好に保持することができる。
【００１９】
請求項６の発明によれば、主容器には、窓が形成されたので、津波の勢いで防水救命容器が押し流された際、内部の人が外観を視認することができ、流される方向や外部の状況などを確認することができる。
【００２０】
請求項７の発明によれば、主容器には、逆止弁を有しつつ内部に侵入した水を外部へ排出し得る排水口が設けられているとともに、当該主容器内の人による力にて排水口からの強制的な排水を行わせる排水用人力ポンプが形成されたので、内部空間に浸水した場合であっても良好に排水することができ、より長時間の避難を可能にすることができる。
【００２１】
請求項８の発明によれば、前記主容器は、当該主容器が浮遊した際に所定位置に固定するためのアンカーとロープを介して繋がれるとともに、該ロープの途中には所定以上の力が付与されると当該ロープを切断する切断手段が形成されたので、防水救命容器が津波により押し流されるタイミングを設定することができる。
【発明を実施するための最良の形態】
【００２２】
以下、本発明の実施形態について図面を参照しながら具体的に説明する。
本実施形態に係る防水救命容器は、津波などの来襲時に人が避難して危険を回避し得るもので、図１〜図３に示すように、上部に人の出入りが可能な開口１ａを有した主容器１と、開口１ａを塞ぐ蓋部材３と、主容器１を籠状に覆って補強する補強フレーム２と、通気手段４と、拘束ベルト６、７（拘束手段）を有した着座シート５と、窓８と、排出口９ａと、通気用人力ポンプ１０と、排水口９ｂからの排水を行わせる排水用人力ポンプ１１とから主に構成されている。
【００２３】
主容器１は、内部に大人２人程度を収容し得る内部空間を有した樹脂成形部材から成るもので、その内部空間において前後方向に延設された梁１３（図２及び図３参照）が形成されている。かかる梁１３により、着座した人の左右方向の拘束を行うことができるとともに、上部の開口１ａから人が出入りする際の足場としての役割を伴わせることができる。
【００２４】
蓋部材３は、図２に示すように、外側蓋部３ａと内側蓋部３ｂとから成り、外側蓋部３ａからは主容器１の内側に向かって延びるネジ棒Ｌが形成されている。かかるネジ棒Ｌにはナット部材Ｎが螺合されており、該ナット部材Ｎの締め付けにより、内側蓋部３ｂを外側蓋部３ａ側に移動させ、これら内側蓋部３ａと外側蓋部３ｂとで開口１ａ縁部を挟持させ、当該開口１ａを塞ぐよう構成されている。
【００２５】
そして、蓋部材３を閉めると、主容器１の内部空間が略密閉した状態とされ、津波到来時に人が避難し得るようになっている。即ち、津波の到来を知らされた際、開口１ａから内部空間に人が避難し、蓋部材３を閉めて略密閉すれば、元々内部に存在している空気及び後述する通気手段４からの空気にて呼吸が確保され、シェルターとして機能するのである。
【００２６】
主容器１は、所定の型にてカプセル状に成形した一体成形樹脂部材から成るものであり、その外面は補強のための補強フレーム２にて覆われている。かかる補強フレーム２は、複数の金属製長尺部材２ｂ（本実施形態においては、金属製のパイプ材を用いている）を籠状に組み付けて成るもので、図１に示すように、主容器１の前面及び後面が正六角形となるよう組み付けられている。その正六角形の角部には、金属製長尺部材２ｂ同士を接続するためのコネクト部材２ａが形成されている。
【００２７】
このコネクト部材２ａは、図４に示すように、各金属製長尺部材２ｂとピンＰにて接続され、主容器１への組み付けの際、当該金属製長尺部材２ｂが同図中矢印方向に揺動可能となっている。また、前側の正六角形の角部から後側に延びた金属製長尺部材２ｂと、後側の正六角形の角部から前側に延びた金属製長尺部材２ｂとは、図５に示すように、接続部材２ｃを介してピンＰにて抜け止めが図られている。これにより、主容器１の外面に補強フレーム２を組み付ける際、作業性を向上させることができる。
【００２８】
更に、主容器１の外面には、図３に示すように、補強フレーム２の金属製長尺部材２ｂを嵌入し得る溝１ｂが形成されている。これにより、防水救命容器に過大な力が付与された際、補強フレーム２が主容器１外面からずれてしまうのを防止することができ、確実に主容器１の補強を行わせることができる。また、溝１ｂは、補強フレーム２の組み付けの際の位置決め用溝として機能させることもできる。
【００２９】
通気手段４は、密閉空間とされた主容器１の内部空間と外部とを通気させるべく、外気に開口しつつ水止弁を有したものであり、図６に示すように、主容器１内に配設された箱体４ａと、該箱体４ａ内部と主容器１外部とを連通する通気管４ｂ及び排水管４ｈと、箱体４ａ内部と主容器１内部とを連通する導入管４ｃと、箱体４ａ内でそれぞれ揺動可能なアーム４ｄ及び４ｆと、これらアーム４ｄ及び４ｆ先端に取り付けられるフロートバルブ４ｅ及び４ｇ（水止弁）とから主に構成されている。
【００３０】
これにより、通気管４ｂから水が侵入する前は、同図の状態とされ、通気管４ｂ、箱体４ａの内部及び導入管４ｃを介して通気が図られるようになっている。そして、津波で潜水した際、図７に示すように、通気管４ｂから水が侵入して箱体４ａ内に水が溜まると、フロートバルブ４ｅ及び４ｇが浮上して通気管４ｂ及び導入管４ｃを塞ぐよう構成されている。
【００３１】
よって、略密閉された主容器１の内部空間に避難した人の呼吸を確保でき、長時間の避難を可能とすることができるとともに、フロートバルブ４ｅ及び４ｇから成る水止弁により内部空間に水が侵入するのを回避することができる。尚、排水管４ｈの先端には、逆止弁が形成されており、防水救命容器が浮上したり或いは外部の水位が下がった場合、箱体４ａ内の水が排水管４ｈから排出され、再度の通気が図られるようになっている。
【００３２】
また、主容器１の内部空間には、通気用人力ポンプ１０が配設されており、該通気用人力ポンプ１０を着座した人が足で踏んで或いは手で押さえて、主容器１内外の通気を行わせ得るよう構成されている。これにより、略密閉された内部空間に避難した人の呼吸をより十分に確保でき、更に長時間の避難を可能とすることができる。
【００３３】
更に、主容器１の底面側には、避難した人を着座させ得る着座シート５が例えば左右方向に２つ固定されており、図２に示すように、それぞれの着座シート５には着座した人を拘束し得る拘束ベルト６、７が配設されている。同図に示すように、拘束ベルト６は、着座した人の腰を着座シート５に拘束するものであり、拘束ベルト７は、着座した人の頭部を着座シート５に拘束するものである。
【００３４】
これにより、防水救命容器が津波の力で激しく押し流されたとしても、内部空間に避難した人を着座シート５に拘束して安全に保護することができるとともに、海水への浮遊時、底面側へ拘束された人の重量により防水救命容器における天地の姿勢を良好に保持することができる。尚、拘束手段としての拘束ベルトは、頭部、腰部を拘束するものの他、胸部、大腿部など着座シート５に着座した人の他の部位を拘束するものであってもよい。また、本実施形態の防水救命容器においては、図２及び図３に示すように、主容器１の底面に所定重量の錘１２が配設されており、かかる錘１２によっても天地の姿勢を良好に保持させることができる。
【００３５】
主容器１の側方には、アクリル板など透明部材から成る一対の窓８が形成され、内部の人が外観を視認し得るようになっている。かかる窓８は、シート５に着座した人の視線の高さに設定されており、津波の勢いで防水救命容器が押し流された際、内部の人が外観を視認することができ、流される方向や外部の状況などを確認することができる。尚、外観を視認し得る窓は、主容器１の側方に限定されず、主容器１の前後或いは上部の何れに形成してもよい。
【００３６】
更に、主容器１には、逆止弁（不図示）を有しつつ内部に侵入した水を外部へ排出し得る排水口９ｂが設けられているとともに、当該主容器１内の人による力にて排水口９ｂからの排水を行わせる排水用人力ポンプ１１が形成されている。これにより、津波が到来して主容器１の内部空間に浸水した場合であっても良好に排水することができ、より長時間の避難を可能にすることができる。尚、逆止弁により、排水口９ｂから主容器１の内部空間に水が侵入するのを回避している。
【００３７】
また更に、本実施形態に係る防水救命容器は、ロープを介して外部のアンカー（不図示）と繋がれており、津波が到来した初期においては、所定位置に固定されるようになっている。防水救命容器（主容器１）とアンカーとを繋ぐロープの途中には、図８に示すような切断手段１４が形成されており、所定以上の力（即ち、ロープに対する張力）が付与されると当該ロープを切断するよう構成されている。
【００３８】
より具体的には、切断手段１４は、防水救命容器（主容器１）に繋がれたロープＲ１の一端に形成された内筒部材１５と、アンカーに繋がれたロープＲ２の一端に形成された外筒部材１６とを有し、内筒部材１５が外筒部材１６内にて摺動可能とされるとともに、当該内筒部材１５と外筒部材１６との間に付勢されたスプリングＳＰを介装させている。
【００３９】
外筒部材１６内には、軸Ｋを中心に回動可能な切断刃１７が配設されており、この切断刃１７は、図９及び図１０に示すように、トーションバネＴの付勢力にてロープＲ１を押圧した状態（図１０における矢印方向へ付勢された状態）とされている。尚、トーションバネＴの付勢力では、ロープＲ１が切断されないよう設定されている。しかして、津波の到来時、防水救命容器が押し流されようとして、スプリングＳＰの付勢力以上の力がロープＲ１に付与されると、内筒部材１５が外筒部材１６内で摺動する。
【００４０】
そして、内筒部材１５の摺動に伴いロープＲ１が移動すると、切断刃１７により当該ロープＲ１が切断され、防水救命容器が津波で押し流されるようになっている。即ち、アンカーにて防水救命容器を常時固定とすると、津波の過大な力が直に付与されてしまうのに対し、押し流されることにより防水救命容器が受ける力を低減させることができるのである。また、本実施形態によれば、例えばスプリングＳＰの付勢力を調整することにより、防水救命容器が津波により押し流されるタイミングを設定することができる。
【００４１】
上記防水救命容器によれば、主容器１が樹脂成形部材から成るとともに、該主容器１の外面を金属製長尺部材２ｂから成る補強フレーム２が籠状に覆って補強しているため、津波で押し流された際、その過大な力に十分耐え得るとともに、製造コストを低下させつつ全体の重量を軽減させ得る。特に、金属製長尺部材２ｂを籠状に組み付け、主容器１の補強を図っているので、主容器１の形状変更等がなされた場合でもスムーズに適用させることができる。
【００４２】
以上、本実施形態について説明したが、本発明はこれに限定されず、例えば主容器１を異なった外観形状としてもよく、窓８などが形成されていないものとしてもよい。また、補強フレーム２は、前後それぞれ正六角形に組み付けられているが、他の形状に組み付けて主容器１の補強を図るようにしてもよい。更に、本実施形態に係る主容器１は、大人を２人程度収容できる内部空間とされているが、３人以上を収容可能としてもよく或いは１人用としてもよい。
【産業上の利用可能性】
【００４３】
上部に開口した主容器が樹脂成形部材から成るとともに、該主容器の外面を金属製長尺部材から成る補強フレームが籠状に覆って補強した防水救命容器であれば、外観形状が異なるもの或いは他の機能を有した手段を具備したものにも適用できる。
【図面の簡単な説明】
【００４４】
【図１】本発明の実施形態に係る防水救命容器の外観を示す斜視図
【図２】同防水救命容器の縦断面図
【図３】同防水救命容器の横断面図
【図４】同防水救命容器の補強フレームにおけるコネクト部材を示す模式図
【図５】同防水救命容器の補強フレームにおける接続部材を示す（ａ）外観図（ｂ）断面図
【図６】同防水救命容器における通気手段（通気状態）を示す模式図
【図７】同防水救命容器における通気手段（水止状態）を示す模式図
【図８】同防水救命容器とアンカーとを繋ぐロープの途中に形成された切断手段を示す断面図
【図９】同切断手段における切断刃の正面を示す模式図
【図１０】同切断手段における切断刃の側面を示す模式図
【符号の説明】
【００４５】
１    主容器
２    補強フレーム
２ａ  コネクト部材
２ｂ  金属製長尺部材
２ｃ  接続部材
３    蓋部材
４    通気手段
５    着座シート
６    拘束ベルト（拘束手段）
７    拘束ベルト（拘束手段）
８    窓
９ａ  排出口
９ｂ  排水口
１０  通気用人力ポンプ
１１  排水用人力ポンプ
１２  錘
１３  梁
１４  切断手段
１５  内筒部材
１６  外筒部材
１７  切断刃
Ｒ１、Ｒ２  ロープ
【図１】
2006256563.tif 000003
【図２】
2006256563.tif 000004
【図３】
2006256563.tif 000005
【図４】
2006256563.tif 000006
【図５】
2006256563.tif 000007
【図６】
2006256563.tif 000008
【図７】
2006256563.tif 000009
【図８】
2006256563.tif 000010
【図９】
2006256563.tif 000011
【図１０】
2006256563.tif 000012